(57)【要約】【課題】  部品点数が少なくかつ構造が簡単であるのでコストが掛からないものであり、使用に熟練を要することなく、スリットの入っていない転写テープを用いても所望する幅の塗膜を被転写面に転写することができる塗膜転写具を提供する。【解決手段】  転写ヘッド２０は、ケース１６内から出た使用前の転写テープ１０を転写位置に誘導しかつ使用後の転写テープ１０をケース１６内に誘導する平坦な送り経路２８を外周面に形成したベース体２６と、前端部３０ａが転写テープ１０を他面側から押圧して一面側の塗膜１０ｂを転写するものであって前記送り経路２８の幅方向に対して移動可能にベース体２６に設けられたスライド転写体３０とを有した塗膜転写具である。【選択図】  図１
2006347075.tif 000002
【特許請求の範囲】
【請求項１】
ベーステープに塗膜を一面側に形成した使用前の転写テープを巻き回して収容する繰り出しリールと、使用後の転写テープを巻き取り回収する巻き取りリールとをケース内に備え、転写テープの一面側の塗膜を対象物の被転写面に当接させた状態で転写テープをその他面側から押圧するための転写ヘッドをケース前端部に有する塗膜転写具において、
転写ヘッドは、ケース内から出た使用前の転写テープを転写位置に誘導しかつ使用後の転写テープをケース内に誘導する平坦な送り経路を外周面に形成したベース体と、前端部が転写テープを他面側から押圧して一面側の塗膜を転写するものであって前記送り経路の幅方向に対して移動可能にベース体に設けられたスライド転写体とを有し、
このスライド転写体の前記送り経路の幅方向に対する位置を所望する塗膜幅に応じて変位させ、変位した位置のスライド転写体によって転写テープを押圧することによって所望する塗膜幅で被転写面に塗膜を転写可能にしたことを特徴とすると塗膜転写具。
【請求項２】
転写ヘッドのベース体には、転写テープの送り経路上であって転写テープ押圧位置より手前の位置に、送り経路を挟んで対向するガイド突起を設け、この対向するガイド突起間に転写テープを通して押圧位置に向う未使用の転写テープをその幅方向からガイドするようにしたことを特徴とする請求項１に記載の塗膜転写具。
【請求項３】
転写ヘッドのベース体はその前端が切り欠かれた概略コの字形状を呈し、その前端の切り欠き箇所内にその切り欠き箇所を横切ってガイド体を固定し、このガイド体にスライド転写体をスライド可能に外嵌めしたことを特徴とする請求項１または２に記載の塗膜転写具。
【請求項４】
転写ヘッドのベース体とスライド転写体との間には、スライド転写体を前方に向けて付勢する弾性部材を設けたことを特徴とする請求項１から３のうちの１項に記載の塗膜転写具。
【発明の詳細な説明】
【技術分野】
【０００１】
本発明は、ベーステープに修正膜や糊膜など塗膜を形成した転写テープを用いて、その転写テープの塗膜を対象物の被転写面に塗膜を転写する塗膜転写具に関する。
【背景技術】
【０００２】
印刷や筆記した紙面の修正作業において、修正液を塗りつけて紙面の文字・図形等を塗りつぶししその後修正するのでは、その修正液が乾くまでに時間がかかり作業効率が悪いことから、修正用の白色不透明の塗膜を、文字・図形を塗りつぶすように紙面上に転写する形式の修正テープが広く使用されている。また、貼り付け作業時に糊を塗りつける代わりに、糊の塗膜を転写する形式の糊テープも用いられる。さらに、任意の色の透明膜をラインマーカの代わりに転写して転写テープも用いられる。
【０００３】
上記のような、紙面等の被転写面に修正用塗膜や糊塗膜等の塗膜を転写する転写具は、ベーステープに修正膜や糊膜等塗膜の転写層を形成した転写テープを用いて、使用者がその転写テープの紙面等の被転写面に対する押圧位置を移動することによって被転写面に塗膜を転写する機能になっている（特許文献１：特開２００２−２０５４９５号公報等参照）。
【０００４】
このような転写具は、ケース内部に、転写テープの供給リールと、使用済みのテープを回収する回収リールとを収容すると共に、ケースの前端部に外部に突出する転写ヘッドを備えて、その転写ヘッドにより転写テープを被転写面に押付けて転写するものである。
【０００５】
ここで、修正テープにおいて一種類のテープ幅では、修正箇所の大きさが異なるときに対応しにくいため、修正幅に応じた複数種類の修正テープが必要になる。しかし、複数種類の修正テープを購入し管理する手間がかかる。
【０００６】
このような問題を解決するため、それぞれ前端幅の異なる複数の転写ヘッドを積層した転写具が提案されており、これは、必要な転写幅に対応する転写ヘッドを選択して前進させる転写ヘッドスライド式としたものである（特許文献２：特開平１１−２９１６９３号公報、特許文献３：特開平１１−３４８４９０号公報参照）。
【０００７】
また、回転する転写ヘッドの周囲に先端幅の異なる突起部を複数設けた転写具が提案されており、これは、必要な転写幅に対応する突起部を選択し、転写ヘッドを回転させてその選択した突起部を転写テープの裏面に当接させるようにした転写ヘッド回転式としたものである（特許文献４：特開平１０−２９１７１８号公報参照）。
【０００８】
また、固定された転写ヘッドに押圧幅の異なる突起部を複数設けた転写具が提案されており、これは、必要な転写幅に対応する突起部を選択し、転写具の被転写面に対する転写ヘッドの角度を変えて選択した突起部を転写テープの裏面に当接させるようにした異形の転写ヘッドとしたものである（特許文献５：特開平１１−１５７２９１号公報参照）。
【０００９】
なお、転写ヘッドの押圧幅が転写テープ幅よりも狭いときでも綺麗に転写することができるようにした転写テープが提案されており、これは、転写テープの塗膜の転写層に長さ方向に沿ったスリットを幅方向に複数に設けて転写ヘッドの押圧幅に応じたスリットによって転写層が切れて必要幅の転写層が被転写面に転写されるものである（特許文献６：特開平１１−１６６１６５号公報、特許文献７：特開平１１−１７２２１３号公報、特許文献８：特開平１１−１５７２９０号公報参照）。
【特許文献１】特開２００２−２０５４９５号公報
【特許文献２】特開平１１−２９１６９３号公報
【特許文献３】特開平１１−３４８４９０号公報
【特許文献４】特開平１０−２９１７１８号公報
【特許文献５】特開平１１−１５７２９１号公報
【特許文献６】特開平１１−１６６１６５号公報
【特許文献７】特開平１１−１７２２１３号公報
【特許文献８】特開平１１−１５７２９０号公報
【発明の開示】
【発明が解決しようとする課題】
【００１０】
しかしながら、前記特許文献２、３記載の塗膜転写具においては、２つのスライドする転写ヘッドを設け、特許文献４の転写具では、回転式の転写ヘッドを設けており、いずれも小型の構造の転写具であるにも関わらずに、部品点数が多かったり構造が複雑であったりするのでコスト低下の障害になるという問題点を有する。
【００１１】
さらには、前記特許文献５に記載の塗膜転写具においては、希望する塗膜幅に対応する突起部を転写テープに押し当て続けるためには、塗膜転写具を被転写面に対する押し当て角度を一定角度に維持し続けなくてはならず使用者の技量を要求し、未熟練者は思うような幅の塗膜を転写できないという問題点を有する。
【００１２】
なお、前述の特許文献６〜８等に記載の転写具用転写テープを使用するとしても、転写テープの塗膜にスリット加工が必要であり、非常に製造難易度が高いという問題を有する。また、スリットと転写ヘッドの位置がずれるとスリットではない部分で切れてしまうので、綺麗に転写できないという問題点を有する。
【００１３】
本発明は、上記の問題点を解消するためのものであって、部品点数が少なくかつ構造が簡単でコストが掛からないと共に、使用に熟練を要することなく、スリットの入っていない転写テープを用いても所望する幅の塗膜を被転写面に転写することができる塗膜転写具を提供するものである。
【課題を解決するための手段】
【００１４】
本発明は、ベーステープに塗膜を一面側に形成した使用前の転写テープを巻き回して収容する繰り出しリールと、使用後の転写テープを巻き取り回収する巻き取りリールとをケース内に備え、転写テープの一面側の塗膜を対象物の被転写面に当接させた状態で転写テープをその他面側から押圧するための転写ヘッドをケース前端部に有する塗膜転写具において、転写ヘッドは、ケース内から出た使用前の転写テープを転写位置に誘導しかつ使用後の転写テープをケース内に誘導する平坦な送り経路を外周面に形成したベース体と、前端部が転写テープを他面側から押圧して一面側の塗膜を転写するものであって前記送り経路の幅方向に対して移動可能にベース体に設けられたスライド転写体とを有し、このスライド転写体の前記送り経路の幅方向に対する位置を所望する塗膜幅に応じて変位させ、変位した位置のスライド転写体によって転写テープを押圧することによって所望する塗膜幅で被転写面に塗膜を転写可能にしたことを特徴とすると塗膜転写具である。
【００１５】
本発明において、転写ヘッドのベース体には、転写テープの送り経路上であって転写テープ押圧位置より手前の位置に、送り経路を挟んで対向するガイド突起を設け、この対向するガイド突起間に転写テープを通して押圧位置に向う未使用の転写テープをその幅方向からガイドするようにしたことが好適である。
【００１６】
また、本発明において、転写ヘッドのベース体はその前端が切り欠かれた概略コの字形状を呈し、その前端の切り欠き箇所内にその切り欠き箇所を横切ってガイド体を固定し、このガイド体にスライド転写体をスライド可能に外嵌めしたことが好適である。
【００１７】
また、本発明において、転写ヘッドのベース体とスライド転写体との間には、スライド転写体を前方に向けて付勢する弾性部材を設けたことが好適である。
【発明の効果】
【００１８】
本発明の塗膜転写具によれば、転写ヘッドにおいて、ベース体の外周面にケース内から出た使用前の転写テープを転写位置に誘導しかつ使用後の転写テープをケース内に誘導する平坦な送り経路を形成し、スライド転写体を前端部が転写テープを他面側から押圧して一面側の塗膜を転写するものとして前記送り経路の幅方向に対して移動可能にベース体に設けているので、転写ヘッドをベース体とスライド転写体という簡単な構造のもので構成でき、部品点数が少なくかつ構造が簡単であるのでコストが掛からないものにできる。
【００１９】
また、このスライド転写体の前記送り経路の幅方向に対する位置を所望する塗膜幅に応じて変位させ、変位した位置のスライド転写体によって転写テープを押圧することによって所望する塗膜幅で被転写面に塗膜を転写可能にしたので、単純にスライド転写体の位置を変位させるだけで塗膜の転写幅を簡単に任意の幅に設定でき、幅設定操舵が極めて容易である。
【００２０】
また、塗膜の転写幅の設定を、スライド転写体の幅方向位置を無段階で変位させることによって無段階に設定することができるので、従来の転写ヘッドの取替えによる構造のような数段階でしか幅設定できないものに比較して柔軟かつ任意に塗膜の幅設定が可能であり、転写テープの幅が１種類でも塗膜の幅は無数に設定できる機能を発揮できるので、非常に使用範囲の広い塗膜転写具を提供できる。
【００２１】
なお、本発明において、転写ヘッドのベース体に、転写テープの送り経路上であって転写テープ押圧位置より手前の位置に、送り経路を挟んで対向するガイド突起を設け、この対向するガイド突起間に転写テープを通して押圧位置に向う未使用の転写テープをその幅方向からガイドすることができる。ベース体に設けたガイド突起という簡単な構成によって転写テープをその幅位置が左右に「ブレる」ことなくその押圧位置まで正確に誘導することができるので、簡易かつ安価な構成で確実な転写テープの位置決めができる。
【００２２】
また、本発明において、転写ヘッドのベース体を、その前端が切り欠かれた概略コの字形状を呈し、その前端の切り欠き箇所内にその切り欠き箇所を横切ってガイド体を固定し、このガイド体にスライド転写体をスライド可能に外嵌めしたものにすれば、簡単な構成のガイド体によってスライド転写体を確実にベース体前端の切り欠き内で左右動できるようにしているので、部品点数のみならず構造自体も簡易にでき製造が容易でかつ規格化しやすく、更なるコストダウンを図ることができる。
【００２３】
また、本発明において、転写ヘッドのベース体とスライド転写体との間には、スライド転写体を前方に向けて付勢する弾性部材を設けたものにすれば、スライド転写体をベース体の切り欠き内で確実に位置決めすることができ、被転写面に転写する塗膜の幅精度を更に高めることができる。
【発明を実施するための最良の形態】
【００２４】
以下、本発明を実施する最良の形態を添付図面を参照して説明する。
【００２５】
図１〜図６は本発明に係る塗膜転写具の最良の形態（以下「実施形態」という）の説明図である。図１（ａ）は実施形態に係る塗膜転写具の外観側面図、（ｂ）は該塗膜転写具の前端部の転写ヘッド２０周辺の斜視説明図である。図２は前記塗膜転写具の転写テープ１０と繰り出しリール１２および巻き取りリール１４の配置説明図であって、ケース１６内に着脱自在なカートリッジに設置した状態を示す。図３が前記ケース１６および各リール１２，１４の回転軸２２，２４の説明図であって、ケース１６の各半体を２分割して開いた状態を示す。図４は前記塗膜転写具における転写テープ１０の転写状態説明図、図５（ａ），（ｂ）は前記塗膜転写具における転写ヘッド２０の詳細な平面図、側面図、図６（ａ），（ｂ）は転写時においてのスライド転写体３０の各位置の設定状態の説明図を示す。
【００２６】
図１〜図４に示すように、実施形態の塗膜転写具は、ベーステープ１０ａに塗膜１０ｂを一面側に形成した使用前の転写テープ１０を巻き回して収容する繰り出しリール１２と、使用後の転写テープ１０を巻き取り回収する巻き取りリール１４とをケース１６内に備え、転写テープ１０の一面側の塗膜１０ｂを対象用紙（対象物に相当）１８の紙面等の被転写面１８ａに当接させた状態で転写テープ１０をその他面側から押圧するための転写ヘッド２０をケース１６前端部に有するものである。
【００２７】
詳しくは、転写テープ１０は、使用前にポリプロピレンやポリエチレン等の薄膜樹脂製のベーステープ１０ａの下面側（一面側の例）に白色等の修正膜や糊膜等の塗膜１０ｂを形成したものであって（図４参照）、繰り出しリール１２に巻き回された状態になっている。転写テープ１０は対象用紙１８の被転写面１８ａに塗膜１０ｂを転写して使用した後、塗膜１０ｂの無い状態のベーステープ１０ａが巻き取りリール１４に巻き取られる。
【００２８】
繰り出しリール１２と巻き取りリール１４は、その軸中央部に中心孔１２ａ，１４ａが形成されており、ケース１６内部には繰り出しリール１２と巻き取りリール１４の各中心孔１２ａ，１４ａに挿通する回転軸２２，２４（装通されると各リール１２，１４とは回転方向に固定状態になる）が回転可能に軸支されている（図２、図３参照）。これらの回転軸２２，２４にはそれぞれギア２２ａ，２４ａが回転方向に固定されこれらギア２２ａ，２４ａ同士は噛合っている。これらギア２２ａ，２４同士の噛合いによって回転軸２２，２４は互いに逆方向に回転し、かつ、回転軸２２，２４同士つまり装着されるリール１２，１４同士は設定されたギア比に応じてほぼ回転比が規制されている。具体的には巻き取りリール１４が繰り出しリール１２よりも大きく回転するようになっている。ただ、巻き取りリール１４はベーステープ１０ａを滑らせながら巻き取るようになっているので、このリール１２，１４同士の回転差を吸収しながら、ベーステープ１０ａを常時張った状態で巻き取ることが可能になっている。
【００２９】
なお、ケース１６は、図１〜図３に示すように、リール１２，１４の軸方向視で概略繭型形状の中空箱構造を呈した樹脂製のものである。該ケース１６は、その厚さ方向がリール１２，１４軸方向に沿い、該厚さ方向中央部の分割面１６ｄ，１６ｄから分かれる各半体同士から構成されるものである。このケース１６の各半体はヒンジ１６ｃによって、開閉可能になっており、それらの各半体は、各分割面１６ｄ，１６ｄ同士が合わせられて一体的になる構成を有している。
また、各リール１２，１４、回転軸２２，２４、ギア２２ａ，２４等は所定の剛性のあるように設定された樹脂製のものである。これらのうち、一部を金属製とすることができる。
また、ケース１６内においては、転写テープ１０の繰り出し巻き取り機構である各リール１２，１４と転写ヘッド２０が対のベース板１６ｅ間に設けられた配置されており、これらは、各リール１２，１４と転写ヘッド２０との間に転写テープ１０が架け渡された状態でベース板１６ｅと共にケース１６から着脱自在に一体化しているカートリッジ構造を呈している。
【００３０】
また、前記ケース１６は、前端部の開口１６ａ内に転写ヘッド２０を揺動を規制する嵌入箇所を有すると共に、開口１６ａを介して、繰り出しリール１２からの未使用の転写テープ１０を転写ヘッド２０に送り出し、使用後の転写テープ１０の巻き取りリール１４への巻き取りを行う。また、ケース１６内には繰り出しリール１２から繰り出される転写テープ１０と、巻き取りリール１４に巻き取られる転写テープ１０を誘導する柱状リブ１６ｂ（実施形態では上記ベース板１６ｅと一体的）が立設されている。
【００３１】
転写ヘッド２０は、図１、図４、図５に示すように、ケース１６内から出た使用前の転写テープ１０を転写位置に誘導しかつ使用後の転写テープ１０をケース１６内に誘導する平坦な送り経路２８を外周面に形成したベース体２６と、前端部３０ａが転写テープ１０を他面側から押圧して一面側の塗膜１０ｂを転写するものであって前記送り経路２８の幅方向に対して移動可能にベース体２６に設けられたスライド転写体３０とを有している。
【００３２】
転写ヘッド２０は、このような構成であるので、上記スライド転写体３０についてその前記送り経路２８の幅方向に対する位置を所望する塗膜１０ｂ幅に応じて変位させ、変位した位置のスライド転写体３０によって転写テープ１０を押圧することによって、所望する塗膜１０ｂ幅で被転写面１８ａに塗膜１０ｂを転写可能にしたものである。
【００３３】
また、転写ヘッド２０のベース体２６は、側面視で概略楔型形状を呈しており、その上面と下面が平坦面に形成された上記送り経路２８になっている。ベース体２６の下面側の送り経路２８（２８Ｌ）は、繰り出しリール１２から巻き出された未使用の転写テープ１０が通って、スライド転写体３０の前端部３０ａに至る経路である。スライド転写体３０の前端部３０ａに至った転写テープ１０は、スライド転写体３０によって押圧されてその塗膜１０ｂが被転写面１８ａに転写される。転写テープ１０は塗膜１０ｂの転写後（使用後）にそのベーステープ１０ａが上側に向かってベース体２６の上面側の送り経路２８（２８Ｕ）に送られる。この送り経路２８（２８Ｕ）は、巻き取りリール１４によってベーステープ１０ａが巻き取られる経路である。
【００３４】
前記下面側ベース体２６には、転写テープ１０の送り経路２８上であって転写テープ１０の押圧位置（スライド転写体３０の前端部３０ａ）より手前の位置であって、送り経路２８を挟んで対向する位置に、側面視で概略台形状のリブが下方に向けて突出形成された態様のガイド突起３２，３２を設けている。下側の送り経路２８（２８Ｌ）では、この対向するガイド突起３２，３２間に転写テープ１０を通して押圧位置に向う未使用の転写テープ１０をその幅方向からガイドするようにしたものである。
【００３５】
また、転写ヘッド２０のベース体２６はその前端が切り欠かれた概略コの字形状を呈し、その前端の切り欠き箇所２６ａ内にその切り欠き箇所２６ａを送り経路２８の幅方向（転写テープ１０の幅方向）に横切って棒状のガイド体３４を固定し、この棒状のガイド体３４を孔３０ｂに通すことによってスライド転写体３０をスライド可能に外嵌めしたものである。なお、ガイド体は、スライド転写体３０の一端部を摺動可能に移動可能にする構造であれば、上記の棒状とする他、ベース体２６に設けた溝状構造等、他の構造であってもよい。
【００３６】
また、転写ヘッド２０のベース体２６とスライド転写体３０との間には、スライド転写体３０を前方に向けて付勢する弾性部材３６を設けたものである。弾性部材３６は、概略弓形を呈し、スライド転写体３０の左右スライドに障害の生じないように形成されている。
【００３７】
次に、上記した実施形態に係る塗膜転写具の作動を説明する。
【００３８】
図６（ａ），（ｂ）はスライド転写体を送り経路側，反送り経路側に位置させた状態の説明図である。
【００３９】
実施形態に係る塗膜転写具においては、図６（ａ）に示すように、送り経路２８側の端部にスライド転写体３０を寄せた場合は、全幅で塗膜１０ｂを転写できる。
【００４０】
一方、図６（ｂ）に示すように、送り経路２８の反対側の端部にスライド転写体３０を寄せた場合は、半幅で塗膜１０ｂを転写できる。なお、スライド転写体３０の寄せる位置を送り経路２８よりもさらに遠く位置させる構造にすることによってさらに塗膜の転写幅を狭く設定できる。
【００４１】
したがって、塗膜１０ｂの転写幅は、スライド転写体３０の位置を途中にすることによって、全幅〜半幅〜最小幅のうちの任意の幅に設定できる。
【００４２】
上記塗膜転写具によれば、転写ヘッド２０において、ベース体２６の外周面にケース１６内から出た使用前の転写テープ１０を転写位置に誘導しかつ使用後の転写テープ１０をケース１６内に誘導する平坦な送り経路２８を形成し、スライド転写体３０を前端部が転写テープ１０を他面側から押圧して一面側の塗膜１０ｂを転写するものとして前記送り経路２８の幅方向に対して移動可能にベース体２６に設けているという構造であるので、転写ヘッド２０をベース体２６とスライド転写体３０という簡単の構造のもので構成でき、部品点数が少なくかつ構造が簡単であるのでコストがかからないものにできる。
【００４３】
また、このスライド転写体３０の前記送り経路２８の幅方向に対する位置を所望する塗膜１０ｂ幅に応じて変位させ、変位した位置のスライド転写体３０によって転写テープ１０を押圧することによって所望する塗膜１０ｂ幅で被転写面１８ａに塗膜１０ｂを転写可能である。したがって、単純にスライド転写体３０の位置を変位させるだけで塗膜１０ｂの転写幅を簡単に任意の幅に設定でき、幅設定操作が極めて容易である。
【００４４】
また、塗膜１０ｂの転写幅の設定を、スライド転写体３０の幅方向位置を無段階で変位させることによって無段階に設定することができる。したがって、従来の転写ヘッド２０の取替えによる構造のような数段階でしか幅設定できないものに比較して柔軟かつ任意に塗膜１０ｂの幅設定が可能であり、転写テープ１０の幅が１種類でも塗膜１０ｂの幅は無数に設定できる機能を発揮できるので、非常に使用範囲の広い塗膜転写具を提供できる。
【００４５】
なお、転写ヘッド２０のベース体２６に、転写テープ１０の送り経路２８上であって転写テープ１０押圧位置より手前の位置に、送り経路２８を挟んで対向するガイド突起３２を設け、この対向するガイド突起３２間に転写テープ１０を通して押圧位置に向う未使用の転写テープ１０をその幅方向からガイドするので、ベース体２６に設けたガイド突起３２という簡単な構成によって転写テープ１０をその幅位置が左右に「ブレる」ことなくその押圧位置まで正確に誘導することができる。したがって、簡易かつ安価な構成で確実な転写テープ１０の位置決めができる。
【００４６】
また、転写ヘッド２０のベース体２６を、その前端が切り欠かれた概略コの字形状を呈し、その前端の切り欠き箇所２６ａ内にその切り欠き箇所２６ａを横切って棒状のガイド体３４を固定し、この棒状のガイド体３４にスライド転写体３０をスライド可能に外嵌めしたものにして、簡単な構成の棒状のガイド体３４によってスライド転写体３０を確実にベース体２６前端の切り欠き内で左右動できるようにしているので、部品点数のみならず構造自体も簡易にでき製造が容易でかつ規格化しやすく、更なるコストダウンを図ることができる。
【００４７】
また、本発明において、転写ヘッド２０のベース体２６とスライド転写体３０との間には、スライド転写体３０を前方に向けて付勢する弾性部材を設けたものにすれば、スライド転写体３０をベース体２６内切り欠き内で確実な位置決めをすることができ、テープの幅精度を更に高めることができる。
【００４８】
なお、本発明の塗膜転写具は、上記した実施の形態に限定されるものではなく、本発明の要旨を逸脱しない範囲内において種々変更を加え得ることは勿論である。
【図面の簡単な説明】
【００４９】
【図１】本発明の塗膜転写具の実施形態の説明図であって、（ａ）は該塗膜転写具の外観側面図、（ｂ）は該塗膜転写具の前端部の転写ヘッド周辺の斜視説明図である。
【図２】前記塗膜転写具の転写テープと繰り出しリールおよび巻き取りリールの配置説明図であって、ケース内に着脱自在なカートリッジ構造の説明図である。
【図３】前記ケースおよび各リールの回転軸の説明図であって、ケースの各半体を２分割して開いた状態の説明図である。
【図４】前記塗膜転写具における転写テープの転写状態説明図である。
【図５】（ａ），（ｂ）は前記塗膜転写具における転写ヘッド２０の詳細な平面図、側面図である。
【図６】（ａ），（ｂ）は転写時においてのスライド転写体３０の各位置の設定状態の説明図である。
【符号の説明】
【００５０】
１０  転写テープ
１０ａ  ベーステープ
１０ｂ  塗膜
１２  繰り出しリール
１４  巻き取りリール
１２ａ，１４ａ  繰り出しリール，巻き取りリールの各中心孔
１６  塗膜転写具のケース
１６ａ  開口
１６ｂ  柱状リブ
１６ｃ  ヒンジ
１６ｄ  分割面
１６ｅ  ベース板
１８  対象用紙
１８ａ  被転写面
２０  転写ヘッド
２２，２４  繰り出しリール，巻き取りリールの各回転軸
２２ａ，２４ａ  各回転軸のギア
２６  ベース体
２６ａ  切り欠き箇所
２８  送り経路
３０  スライド転写体
３０ａ  前端部
３０ｂ  孔
３２  ガイド突起
３４  ガイド体
３６  弾性部材
【図１】
2006347075.tif 000003
【図２】
2006347075.tif 000004
【図３】
2006347075.tif 000005
【図４】
2006347075.tif 000006
【図５】
2006347075.tif 000007
【図６】
2006347075.tif 000008